(57)【要約】【課題】  厚みの少ない書簡は勿論のこと、厚いものでも手間を掛けることなく、簡単に且つ綺麗に収納することができる角型封筒を提供できるようにする。【解決手段】  一片に開口部を有し、当該開口部を蓋片で封止可能に構成された角形封筒であって、開口部の側方で互いに対面する側辺部にマチを形成するとともに、開口部に対面する底部と、マチが形成された前記側辺部との間の隅部に厚み形成用隙間を形成することにより、厚みの少ない書簡は勿論のこと、厚いものでも手間を掛けることなく、簡単に且つ綺麗に収納することができるようにした。【選択図】図２
2005239233.tif 000002
【特許請求の範囲】
【請求項１】
一片に開口部を有し、当該開口部を蓋片で封止可能に構成された角形封筒であって、開口部の側方で互いに対面する側辺部にマチを形成するとともに、開口部に対面する底部と、マチが形成された前記側辺部との間の隅部に厚み形成用隙間を形成したことを特徴とする角形封筒。
【請求項２】
折り返して形成された底部の折り返し部分の側方に厚み形成を容易にするためのガイド用ラインを形成したことを特徴とする請求項１に記載の角形封筒。
【請求項３】
角型封筒が四角形である請求項１または請求項２に記載の角型封筒。
【請求項４】
蓋片に、少なくとも二本の厚み形成用ガイドラインを設けたことを特徴とする請求項１乃至請求項３のいずれか１項に記載の角型封筒。
【発明の詳細な説明】
【技術分野】
【０００１】
本発明は、角型封筒に関し中でも左右の両側方にマチを形成した所謂「マチ付き封筒」といわれる角型封筒に関するものである。
【背景技術】
【０００２】
従来、少し厚みのある商品見本やケースに入れた商品券等を定型郵便として発送する場合、定型の角型封筒に入れて郵送するようにしている。
そしてこのときに使用される封筒としては特許文献１に示されるような、底部で二つ折りにし、対面部分する左右の側辺部分にマチを形成した角型封筒が提案されている。
【特許文献１】特開２００１−３０１７６１号公報
【発明の開示】
【発明が解決しようとする課題】
【０００３】
ところが状に特許文献１に示されるようなマチ付きの角型封筒１０１に厚みのあるもの１１８を収納した場合、底部１０６とマチ１０５との間の隅部に図６に示すような略三角形をした突出部１００が形成されてしまうという問題があった。
こうした突起が生じると封筒自体が見苦しくなるだけでなく、中に収納された商品の品質にまでも影響するおそれもある。
【０００４】
こうした突起部を無くそうとすると、当該突起部を封筒内に押し込むか、糊付けやセロハンテープ等で封筒の底若しく側面部分部分に貼着することが考えられるが、手間がかかるという問題もある。
【０００５】
本発明は上記問題点に鑑み提案されたもので、厚みの少ない書簡は勿論のこと、厚いものでも手間を掛けることなく、簡単に且つ綺麗に収納することができる角型封筒を提供できるようにすることを目的とするものである。
【課題を解決するための手段】
【０００６】
上記目的を達成する為に本発明にかかる角型封筒は、一片に開口部を有し、当該開口部を蓋片で封止可能に構成された角形封筒であって、開口部の側方で互いに対面部分する側辺部にマチを形成するとともに、開口部に対面部分する底部と、マチが形成された前記側辺部との間の隅部に厚み形成用隙間を形成したことを最も主要な特徴とするものである。
【０００７】
また、本発明にかかる角形封筒では、折り返して形成された底部の折り返し部分の側方に厚み形成を容易にするためのガイド用ラインを形成したことや、角型封筒が四角形にすること、さらには蓋片に、少なくとも二本の厚み形成用ガイドラインを設けるようにしたことも特徴とするものである。
【発明の効果】
【０００８】
本発明によれば、開口部の側方で互いに対面部分する側辺部にマチを形成し、開口部に対面部分する底部と、マチが形成された前記側辺部との間の隅部に厚み形成用隙間を形成するようにしてあるので、厚みの薄い書面部分などはマチが広がらない状態で収納できるとともに、厚みがあるものでは底部が側辺のマチの広がりに合わせて厚みが形成される。
このとき、底部と側辺とのギャップは厚み形成用隙間で吸収される。これにより、厚みの異なるものを収納しても、従来のように角隅部に三角形の突出部分を生じることなく、その厚みに合わせて綺麗に収納することができる。
【０００９】
また、収納も、封筒に挿入するだけで簡単に行なえ、従来のように角隅部に生じる三角形の突出部分の処理に要する手間もなくせ、手早く行なえ、仕上がりも綺麗なものにすることができる利点もある。
さらに、折り返して形成された底部の折り返し部分の側方に厚み形成を容易にするためのガイド用ラインを形成したり、蓋片に、少なくとも二本の厚み形成用ガイドラインを設けたりしたものでは、折れ目が一直線に揃ったものにでき、美感が一層向上する利点もある。
【発明を実施するための最良の形態】
【００１０】
以下、本発明にかかる角型封筒の好ましい実施の形態を図面部分に基づいて説明する。
図１は本発明の角型封筒の斜視図であって図中符号１は、角型封筒を全体的に示す。
この角型封筒１は、一片に開口部２を有し、当該開口部２を蓋片３で封止可能に構成され、開口部２の左右両側方で互いに対面する側辺部４・４にはマチ５が形成されるとともに、開口部２に対面する底部６と、マチ５が形成された前記側辺部４との間の隅部７に厚み形成用隙間８が形成されている。
【００１１】
そして、図示は省略したが、この角封筒１は、打抜き機で紙シートを図２に示す形状に打ち抜かれた素材９を折り畳んで形成されている。
即ち、宛名書き面となる大形で四角な表面部分１０と、この表面部分１０の左右に外側に糊代１１が形成されたマチ５を形成する側辺部分４と、表面部分１０の下部に底部６となるマチ形成部１２を介在させた裏面部分１３を一体に形成するとともに、表面部分１０の上部には蓋片３が一体に形成されている。
尚、図２の展開図は角型封筒１の内面側から見た図であって、図中の点線で示す折れ線のガイドラインは谷折れを、二点鎖線で示すガイドラインは山折れをするものであって、これらのガイドラインはシートを打ち抜くときに同時に折れる方向に癖付けされている。
【００１２】
上記表面部分１０の下部で裏面部分６との間に形成されるマチ形成部１２は、その幅Ｗ１が表面部分１０と同じ幅Ｗに形成され、間隔Ｈ１はマチ５を形成する側辺部分４の間隔Ｈと略同じ間隔にしてある。
また、表面部分１０の下部で裏面部分６との間に形成されるマチ形成部１２の１／２の位置には底部６を形成するための折り返し用のガイドライン１４が設けられ、この折り返し用のガイドライン１４の上下には厚み形成用ガイドライン１５が形成されている。
一方、表面部分１０の上部に形成される蓋片には二本のガイドライン１６が形成されており、この二本のガイドライン１６の間隔Ｈ２は前記底部６のマチ形成部１２の高さＨ１や側辺部分４にマチ５を形成するための間隔Ｈと同じ間隔にしてある。
【００１３】
上記のように紙シートで形成された素材９を上述のように、点線で示すガイドラインを谷折れし、二点鎖線で示すガイドラインを山折れしてマチ５を形成する側辺部分４の糊代１１に塗着された糊で側辺部分４と裏面部分１３とを貼着すると、図１に示すような角型封筒１が形成される。
こうして形成された本発明の角型封筒１には、底部６とマチ５が形成された側辺部４との間の隅部７には例えば図３に示すような厚み形成用隙間８が形成されている。
この厚み形成用隙間８の上下方向の長さは、前記底部６のマチ形成部１２の高さＨ１の１／２の長さになっている。
【００１４】
本発明の上記角型封筒１を使用する場合について次に説明する。
先ず、手紙や書面等の厚みの薄い物１６を開口部２から入れ、その開口部２を蓋片３で閉じると、図３に示すように角型封筒１は膨らむことなく一般の薄型の封筒と同様の形状となる。
そして、底部６とマチ５が形成された側辺部４との間の隅部７には厚み形成用隙間８がスリット状に開いた状態となるので、この角型封筒１を開く場合、当該スリット状の厚み形成用隙間８をペーパーナイフ１７の挿入用開口として利用することができ、一層至便なものにすることができる。
【００１５】
次に、図１に示すような例えば箱入りの商品券のように厚みのあるもの１８を本発明の角型封筒１に開口部２から挿入すると、その厚みで側辺部分４のマチ５が開く。
この側辺部分４のマチ５が開くのにともなって、底部６がその折り返し用のガイドライン１４の両側に形成された厚み形成用ガイドライン１５部分が折れて底部６に厚みが形成される。
このとき、側辺部分４のマチ５が開くのと、底部６の厚み形成用ガイドライン部分１５が折れて底部６に厚みが増す時の隅部７における、マチ５とマチ形成部１２とのずれ動き等により発生するギャップは、図４に示すように底部６と側辺部４との間の隅部７に形成されたスリット状の厚み形成用隙間８が吸収する。
これにより、余分な皺が入ったりすることなく綺麗に収納することができる。
【００１６】
尚、厚み形成用隙間８を形成する場合、例えば図５に示すように底部６とマチ５が形成される側辺部４との間の隅部７を斜めにカットしたり、図示は省略したが当該隅部をＬ形にカットして形成することもできる。
また、上記実施の形態では角型封筒１として長四角のものを例示してあるが、こうしたものに限られず、正四角形にしたり、六角形等の多角形にすることができるのは勿論のことである。
【産業上の利用可能性】
【００１７】
本発明の角型封筒は、郵送用の封筒のみならず、物品を包装するための専用の包装用封筒にも実施することができる。
【図面の簡単な説明】
【００１８】
【図１】本発明にかかる角型封筒の斜視図である。
【図２】本発明にかかる角型封筒の展開図である。
【図３】本発明にかかる角型封筒の使用状態の斜視図である。
【図４】本発明にかかる角型封筒の使用状態の斜視図である。
【図５】本発明にかかる角型封筒の異なる厚み形成用隙間を形成した正面図である。
【図６】従来例にかかる角型封筒の角部の斜視図である。
【符号の説明】
【００１９】
１・・・角型封筒
２・・・開口部
３・・・蓋片
４・・・側辺部
５・・・マチ
７・・・隅部
８・・・厚み形成用隙間
１４・１５・１６・・・ガイドライン
【図１】
2005239233.tif 000003
【図２】
2005239233.tif 000004
【図３】
2005239233.tif 000005
【図４】
2005239233.tif 000006
【図５】
2005239233.tif 000007
【図６】
2005239233.tif 000008